(57)【特許請求の範囲】
【請求項１】
筒状の中空プレキャストコンクリート柱型枠の上に配置される少なくとも一つの柱フープ筋と、
上記柱フープ筋における直交する二直線と交差する４箇所のうち少なくとも３箇所の近傍に取り付けられると共に、上記中空プレキャストコンクリート柱型枠の中空部内に差し込まれる差込部を下部に有する所定高さのスペーサを備えて、上記スペーサの差込部を上記中空プレキャストコンクリート柱型枠の中空部内に差し込んで上記中空プレキャストコンクリート柱型枠の上端面上に載置された際に、更にその上に配筋される梁下端主筋と上記中空プレキャストコンクリート柱型枠の上端面との間の間隔を所定の間隔に保持することを特徴とするスペーサ付きフープ筋。
【請求項２】
請求項１に記載のスペーサ付きフープ筋において、
上記柱フープ筋における一方向に互いに対向した２箇所の近傍に位置するスペーサの高さと、他のスペーサの高さとには、上記梁下端主筋の直径分の差が設けられていることを特徴とするスペーサ付きフープ筋。
【請求項３】
中空部を有する筒状を成し、請求項１あるいは請求項２に記載のスペーサ付きフープ筋が上端面に取り付けられていることを特徴とする中空プレキャストコンクリート柱型枠。
【発明の詳細な説明】
【０００１】
【発明の属する技術分野】
この発明は、中空プレキャストコンクリート柱型枠(以下、中空ＰＣ柱型枠と言う)上に梁下端主筋を配筋する際に、上記中空ＰＣ柱型枠と梁下端主筋との間に装着されるスペーサ付きフープ筋、および、それを備えた中空ＰＣ柱型枠に関する。
【０００２】
【従来の技術】
従来、各施工階毎の揚重回数が少なく施工効率の高い柱の構築方法として柱梁主筋先組中空ＰＣ柱ユニットを使用する柱構築方法が提案されている。この柱梁主筋先組中空ＰＣ柱ユニットは、図１０に示すように、中空ＰＣ柱型枠２と、柱と梁との接合部であるパネルゾーン部を中空ＰＣ柱型枠２の箇所に位置させて中空ＰＣ柱型枠２上に水平方向に載置された梁主筋先組鉄筋籠３と、上方から梁主筋先組鉄筋籠２の上記パネルゾーン部を貫通して中空ＰＣ柱型枠２内に挿通された先組柱主筋４とで構成される。
【０００３】
上記構成を有する柱梁主筋先組中空ＰＣ柱ユニット１は、図１１に示すような手順でストックヤード床面５上で組み立てられる。すなわち、先ず、図１１(a)に示すように、ストックヤード床面５上に下１階分の中空ＰＣ柱型枠２が立設されてサポータで支持される。次に、図１１(b)に示すように、梁主筋先組鉄筋籠３が、そのパネルゾーン部６を中空ＰＣ柱型枠２における上端面に位置させてクレーン７で中空ＰＣ柱型枠２上に水平に載置される。そして、図１１(c)に示すように、梁主筋先組鉄筋籠３がサポータ８で支持される。
【０００４】
次に、上記吊込治具９に取り付けられて中空ＰＣ柱型枠２の内壁面に沿うように或は中空ＰＣ柱型枠２の中央部に位置するように配列された先組柱主筋４が、吊込治具９と共にクレーン７で吊り上げられる。そして、図１１(d)に示すように、矩形状に配列された先組柱主筋４が中空ＰＣ柱型枠２の内壁面に沿うように挿入されて、柱梁主筋先組中空ＰＣ柱ユニット１が完成する。そして、柱梁主筋先組中空ＰＣ柱ユニット１は、柱構築時には、図１１(e)に示すようにクレーン１０によって吊り上げられて、施工階まで運ばれるのである。
【０００５】
ところで、図１１(b)において、上記梁主筋先組鉄筋籠３を中空ＰＣ柱型枠２上に水平に載置する際に、梁主筋先組鉄筋籠３の最下層に位置する梁主筋(梁下端主筋)は、実際には、図１０に示すように中空ＰＣ柱型枠２の上端面に直接載置されるのではなく、上記梁下端主筋と中空ＰＣ柱型枠２の上端面との間に上記梁下端主筋を被って打設されるコンクリートの厚さ分の間隔(被り厚さ)を保持して載置される必要がある。そこで、中空ＰＣ柱型枠２の上端面に上記被り厚さ分の高さを有するスペーサを設置するのである。
【０００６】
【発明が解決しようとする課題】
しかしながら、上記柱梁主筋先組中空ＰＣ柱ユニット１において中空ＰＣ柱型枠２の上端面に上記被り厚さを保持するためのスペーサを設ける場合には、以下のような問題がある。すなわち、上記スペーサを単に中空ＰＣ柱型枠２の上端面に載置するだけでは吊り上げ移動時に上記スペーサは落下するので、中空ＰＣ柱型枠２上の所定位置(上記梁下端主筋の位置)に固定しなければならない。その場合、先組柱主筋４と梁主筋とが複雑に密集する上記パネルゾーンの位置に、バランスを取るために複数個(少なくとも３個)のスペーサを配置固定するのは手間を要するという問題がある。
【０００７】
さらに、柱の最上位に配筋される第１柱フープ筋は、中空ＰＣ柱型枠２の頂部(即ち、梁下端)に配置する必要がある。ところが、中空ＰＣ柱型枠２の最頂部はコンクリートの充填性が悪いため、第１柱フープ筋を配置することはできない。そこで、梁主筋先組鉄筋籠３の梁下端主筋と中空ＰＣ柱型枠２の上端面との間に第１柱フープ筋を配置することになる。
【０００８】
その場合には、上記梁主筋先組鉄筋籠３の梁下端主筋と中空ＰＣ柱型枠２の上端面との間に、複数個のスペーサと柱フープ筋との両方を位置決め・固定しなければならず、益々手間を要するという問題がある。
【０００９】
尚、上述の問題は、上記柱梁主筋先組中空ＰＣ柱ユニット１の組み立て時のみならず、柱構築現場において中空ＰＣ柱型枠と梁主筋先組鉄筋籠とを別途組み立てる場合や、柱構築現場において中空ＰＣ柱型枠上に梁主筋を配筋する場合にも生ずる問題である。
【００１０】
そこで、この発明の目的は、中空ＰＣ柱型枠の上端面と梁下端主筋との間にスペーサと柱フープ筋とを簡単に且つ確実に位置決め・固定できるスペーサ付きフープ筋、および、それを備えた中空ＰＣ柱型枠を提供することにある。
【００１１】
【課題を解決するための手段】
上記目的を達成するため、請求項１に係る発明のスペーサ付きフープ筋は、筒状の中空ＰＣ柱型枠の上に配置される少なくとも一つの柱フープ筋と、上記柱フープ筋における直交する二直線と交差する４箇所のうち少なくとも３箇所の近傍に取り付けられると共に,上記中空ＰＣ柱型枠の中空部内に差し込まれる差込部を下部に有する所定高さのスペーサを備えて、上記スペーサの差込部を上記中空ＰＣ柱型枠の中空部内に差し込んで上記中空ＰＣ柱型枠の上端面上に載置された際に,更にその上に配筋される梁下端主筋と上記中空ＰＣ柱型枠の上端面との間の間隔を所定の間隔に保持することを特徴としている。
【００１２】
上記構成によれば、柱フープ筋における少なくとも３箇所に取り付けられた所定高さのスペーサの下部に、中空ＰＣ柱型枠の中空部内に差し込まれる差込部を設けている。したがって、上記中空ＰＣ柱型枠の中空部内に上記差込部を差し込んで上記中空ＰＣ柱型枠の上端面上に載置された場合に、上記中空ＰＣ柱型枠の上端面から外れることなく安定し、上記柱フープ筋およびスペーサの位置が確実に決められる。また、上記柱フープ筋と複数のスペーサとが、上記梁下端主筋と上記中空ＰＣ柱型枠の上端面との間に一度に配置される。
【００１３】
さらに、上記スペーサの高さによって、上記梁下端主筋と上記中空ＰＣ柱型枠の上端面との間の間隔が所定の間隔に保持されて、被り厚さが確保される。
【００１４】
また、請求項２に係る発明は、請求項１に係る発明のスペーサ付きフープ筋において、上記柱フープ筋における一方向に互いに対向した２箇所の近傍に位置するスペーサの高さと、他のスペーサの高さとには、上記梁下端主筋の直径分の差が設けられていることを特徴としている。
【００１５】
２本の梁がＴ字状,十文字状またはＬ字状に交差する位置に在る上記中空ＰＣ柱型枠上においては、上記２本の梁の上記梁下端主筋が互いに重なり合って交差している。したがって、上記中空ＰＣ柱型枠の上端面と一方の梁下端主筋との間隔は、他方の梁下端主筋との間隔とは上記梁下端主筋の直径分だけ異なることになる。上記構成によれば、一方向に対向しているスペーサの高さと他のスペーサの高さとには、上記梁下端主筋の直径分の差が設けられている。したがって、２本の梁がＴ字状,十文字状またはＬ字状に交差する位置に配置される中空ＰＣ柱型枠の上端面と、当該中空ＰＣ柱型枠上に交差して配筋される２本の梁下端主筋との間隔が、上記一方向に対向しているスペーサと他のスペーサとによって、上記梁下端主筋の直径分だけ異なる所定間隔に保たれるのである。
【００１６】
また、請求項３に係る発明の中空ＰＣ柱型枠は、中空部を有する筒状を成し、請求項１あるいは請求項２に係る発明のスペーサ付きフープ筋が上端面に取り付けられていることを特徴としている。
【００１７】
上記構成によれば、中空ＰＣ柱型枠の上端面には、請求項１あるいは請求項２に係る発明のスペーサ付きフープ筋が取り付けられている。したがって、梁剪断補強筋の位置を上記スペーサ付きフープ筋のスペーサの位置に合わせて梁主筋先組鉄筋籠を本中空ＰＣ柱型枠上に載置するだけで、当該中空ＰＣ柱型枠と梁下端主筋との間隔が所定の間隔に保持されて被り厚さが確保される。さらに、当該梁下端主筋との間に柱フープ筋が配筋される。
【００１８】
【発明の実施の形態】
以下、この発明を図示の実施の形態により詳細に説明する。図１は、本実施の形態のスペーサ付きフープ筋における斜視外観図である。以下、このスペーサ付きフープ筋１１を、図１０に示す柱梁主筋先組中空ＰＣ柱ユニット１と同様の柱梁主筋先組中空ＰＣ柱ユニットに適用する場合を例に説明するが、これに限定されるものではない。
【００１９】
本実施の形態におけるスペーサ付きフープ筋１１は、図１０に示す先組柱主筋４に相当する先組柱主筋に外接可能な形状(本実施の形態においては矩形とする)の柱フープ筋１２と、この柱フープ筋１２に取り付け固定されたスペーサ１３とで構成される。
【００２０】
上記スペーサ１３は、柱フープ筋１２における後に梁主筋先組鉄筋籠が位置する個所に取り付け固定される。本実施の形態においては、図１に示すごとく、矩形の柱フープ筋１２における各辺に２個ずつスペーサ１３を固定している。
【００２１】
図２は、図１におけるＡ‐Ａ'矢視及びＢ‐Ｂ'矢視断面図である。図２において、スペーサ１３は略四角形の形状を有する板状物体であり、一側の上端部にフープ筋１２の直径と略同じ幅の切欠き１４を有し、この切欠き１４にフープ筋１２が載置されて溶接等によって固定される。さらに、上記一側の下端部に反フープ筋１２側に突出した上記差込部としての突起１５が設けられている。そして、互いに対向して取り付けられたスペーサ１３,１３の突起１５,１５における外縁間の距離は、図１０に示す中空ＰＣ柱型枠２に相当する中空ＰＣ柱型枠の内径よりもやや狭く設定されている。
【００２２】
上記構成を有するスペーサ付きフープ筋１１は、図３〜図５に示すように、スペーサ１３の突起１５を中空ＰＣ柱型枠１６の開口部に差し込んで、中空ＰＣ柱型枠１６の上端面に載置される。そして、スペーサ付きフープ筋１１のスペーサ１３上に、水平に配置され、パネルゾーン部１９に柱フープ筋２０が組み込まれた梁主筋先組鉄筋籠１７の梁剪断補強筋１８が載置される。そうした後、柱主筋２１を、上方から柱フープ筋２０内を挿通して中空ＰＣ柱型枠１６に挿入するのである。
【００２３】
以後、上記中空ＰＣ柱型枠１６の上端から水平方向に梁主筋先組鉄筋籠１７の下側と両側とを覆う梁型枠２３が設置される。こうして、梁型枠２３の底部と梁主筋先組鉄筋籠１７の梁下端主筋２４との間隔で、上記被り厚さが設定される。そして、中空ＰＣ柱型枠１６内,梁型枠２３およびパネルゾーン部１９内にコンクリートが打設されて、図６に示すように、柱２５と梁２６とが完成されるのである。
【００２４】
ところで、図７に示すように、柱と梁との取り付けタイプには、円Ａで示すように柱３１の四面から梁３２が延在しているＡ型と、円Ｂで示すように柱３１の三面から梁３２が延在しているＢ型と、円Ｃで示すように柱３１の互いに対向する二面から梁３２が延在しているＣ型と、円Ｄで示すように柱３１の互いに隣り合う二面から梁３２が延在しているＤ型とがある。
【００２５】
そして、図３〜図５に示す梁主筋先組中空ＰＣ柱ユニットは、上記Ａ型の取り付けタイプに適用する梁主筋先組中空ＰＣ柱ユニットであるとする。その場合、梁主筋先組鉄筋籠１７は、一方向へ延在する第１梁主筋先組鉄筋籠と上記一方向に直交する他方向へ延在する第２梁主筋先組鉄筋籠とが中央で交差して構成される。そして、図４に示す梁主筋先組鉄筋籠１７においては、第１梁主筋先組鉄筋籠１７aの側面が見えており、第２梁主筋先組鉄筋籠１７bは断面のみが見えている。尚、上記第２梁主筋先組鉄筋籠１７bの梁下端主筋２４bは第１梁主筋先組鉄筋籠１７aの梁下端主筋２４aの上に乗っており、第２梁主筋先組鉄筋籠１７bの梁上端主筋２７bは第１梁主筋先組鉄筋籠１７aの梁上端主筋２７aの上に乗っている。したがって、図５においては、断面のみが見えている第１梁主筋先組鉄筋籠１７aの梁下端主筋２４aは側面が見えている第２梁主筋先組鉄筋籠１７bの梁下端主筋２４bの下側に在り、第１梁主筋先組鉄筋籠１７aの梁上端主筋２７aは第２梁主筋先組鉄筋籠１７bの梁上端主筋２７bの下側に在ることになる。
【００２６】
そして、上記第１梁主筋先組鉄筋籠１７aの梁下端主筋２４aは、スペーサ付きフープ筋１１の柱フープ筋１２における互いに対向する二辺に取り付けられたスペーサ１３aで受けられる一方、第２梁主筋先組鉄筋籠１７bの梁下端主筋２４bは柱フープ筋１２における他の二辺に取り付けられたスペーサ１３bで受けられるのである。したがって、当然ながら、図２に示すように、梁下端主筋２４aの上に在る梁下端主筋２４bの上記被り厚さを設定するスペーサ１３bの高さは、梁下端主筋２４aの上記被り厚さを設定するスペーサ１３aの高さよりも、梁下端主筋２４aの直径分だけ高くなっているのである。
【００２７】
上述のように、本実施の形態におけるスペーサ付きフープ筋１１は、矩形の柱フープ筋１２とこの柱フープ筋１２に取り付け固定されたスペーサ１３とで構成される。そして、スペーサ１３の内側下端部に下側に突出した突起１５を設け、柱フープ筋１２の互いに対向して取り付けられたスペーサ１３,１３の突起１５,１５における外縁間の距離を中空ＰＣ柱型枠１６の内径よりもやや狭く設定している。さらに、柱フープ筋１２の互いに対向する二辺に取り付けられたスペーサ１３aの高さと、柱フープ筋１２の他の二辺に取り付けられたスペーサ１３bの高さとを、梁主筋先組鉄筋籠１７の梁下端主筋２４の直径分だけ異なるようにしている。
【００２８】
したがって、上記構成のスペーサ付きフープ筋１１を中空ＰＣ柱型枠１６の上端面に載置することによって、梁下端主筋２４a,２４bの被り厚さを設定する複数個のスペーサ１３a,１３bを一度に配置でき、作業効率が上がる。その際に、スペーサ付きフープ筋１１の突起１５を中空ＰＣ柱型枠１６の開口部に差し込むだけで、柱フープ筋１２およびスペーサ１３a,１３bの平面方向の位置決めを容易に行なうことができる。
【００２９】
さらに、上記高さの低いスペーサ１３a上には、十文字形の梁主筋先組鉄筋籠１７における位置が低い方の第１梁主筋先組鉄筋籠１７aの梁下端主筋２４aを載置する一方、高さの高いスペーサ１３b上には、位置が高い方の第２梁主筋先組鉄筋籠１７bの梁下端主筋２４bを載置することによって、互いに直交する梁下端主筋２４a,２４bの重なりを考慮した梁主筋先組鉄筋籠１７の納まりを維持できる。そして、第１梁主筋先組鉄筋籠１７aの梁下端主筋２４aに関する被り厚さがスペーサ１３aで最適に設定される一方、第２梁主筋先組鉄筋籠１７bの梁下端主筋２４bに関する被り厚さがスペーサ１３bで最適に設定されるのである。
【００３０】
すなわち、本実施の形態によれば、上記構成を有するスペーサ付きフープ筋１１を中空ＰＣ柱型枠１６の上端面に載置するだけで、中空ＰＣ柱型枠１６の上端面と梁主筋先組鉄筋籠１７の梁下端主筋２４との間にスペーサと柱フープ筋とを簡単に且つ確実に位置決め・固定できるのである。
【００３１】
尚、図７に円Ｂで示すように、柱３１の三面から梁３２が延在しているＢ型の取り付けタイプに適用する梁主筋先組中空ＰＣ柱ユニットの場合は、上記梁主筋先組鉄筋籠は、一本の梁主筋先組鉄筋籠の中央から他の梁主筋先組鉄筋籠が一方向に延在したＴ字型を有している。したがって、その場合に用いるスペーサ付きフープ筋は、スペーサ付きフープ筋１１の構成から柱フープ筋１２における梁主筋先組鉄筋籠の無い辺に対応するスペーサ１３aあるいはスペーサ１３bを除去した構成にすればよい。その場合でも、矩形の柱フープ筋における３辺にスペーサが取り付けられている。したがって、スペーサ付きフープ筋の中空ＰＣ柱型枠上での安定は確保されるのである。
【００３２】
また、図７に円Ｃで示すように、柱３１の互いに対向する二面から梁３２が延在しているＣ型の取り付けタイプに適用する梁主筋先組中空ＰＣ柱ユニットの場合は、上記梁主筋先組鉄筋籠は一直線状を成している。したがって、その場合に用いるスペーサ付きフープ筋は、スペーサ付きフープ筋１１の構成から柱フープ筋１２における互いに対向する二辺にのみスペーサ１３aまたはスペーサ１３bを残し、他のスペーサ１３を除去した構成にすればよい。その場合、矩形の柱フープ筋における一方向に対向する二辺にのみスペーサが取り付けられているため、柱フープ筋における他方向への安定感が悪くなる。したがって、柱フープ筋における残りの一辺に安定用のダミーのスペーサを取り付けることによって、スペーサ付きフープ筋の中空ＰＣ柱型枠上での安定が確保される。
【００３３】
また、図７に円Ｄで示すように、柱３１の互いに隣り合う二面から梁３２が延在しているＤ型の取り付けタイプに適用する梁主筋先組中空ＰＣ柱ユニットの場合は、上記梁主筋先組鉄筋籠は、二本の梁主筋先組鉄筋籠の一端部が互いに重なり合ったＬ字型を有している。したがって、その場合に用いるスペーサ付きフープ筋は、スペーサ付きフープ筋１１の構成から柱フープ筋１２における互いに隣り合う二辺の一方にスペーサ１３a取り付け、他方にスペーサ１３bを取り付けた構成にすればよい。この場合にも、柱フープ筋の安定感が悪くなるため、柱フープ筋における残りの一辺に安定用のダミーのスペーサを取り付ける必要がある。
【００３４】
すなわち、上記スペーサ付きフープ筋の中空ＰＣ柱型枠上での安定を確保するためには、柱フープ筋における直交する二直線と交差する４箇所のうち少なくとも３箇所の近傍にスペーサを取り付ける必要があるのである。但し、その場合に取り付けるダミーのスペーサは被り厚さの設定には寄与しない。したがって、邪魔にならないようにその高さは低い方がよく、スペーサ１３aを用いることが望ましい。
【００３５】
図８は、他のスペーサ付きフープ筋４１の斜視外観図である。このスペーサ付きフープ筋４１は、先組柱主筋に外接可能な形状(本実施の形態においては矩形とする)の柱フープ筋４２と、この柱フープ筋４２に取り付け固定されたスペーサ４３と、柱フープ筋４２における高さが低い方のスペーサ４３aが取り付けられている二辺の上側相互間を繋ぐように架け渡して設けられた中子筋(フープ筋)４４と、柱フープ筋４２における高さが高い方のスペーサ４３bが取り付けられた二辺の下側相互間を繋ぐように架け渡して設けられた中子筋４５とで構成されている。
【００３６】
上記実施の形態は、上記柱フープ筋１２,４２にスペーサ１３,４３を取り付け固定したスペーサ付きフープ筋１１,４１単独に関するものである。しかしながら、この発明は、これに限定されるものではなく、図９に示すように、スペーサ付きフープ筋１１,４１の何れかと同じ構成を有するスペーサ付きフープ筋(図９においてはスペーサ付きフープ筋１１と同じ構成)５１が、そのスペーサ５２の突起５３を開口部に差込んで上端面に取り付けられて成るスペーサ付きフープ筋を備えた中空ＰＣ柱型枠５４をも含むものである。その場合のスペーサ付きフープ筋は、中空ＰＣ柱型枠５４から取り外し可能/不可能の何れであっても差し支えない。尚、取り外し不可能な場合は、スペーサ５２の突起５３が中空ＰＣ柱型枠５４内に埋め込まれている。
【００３７】
尚、上記各実施の形態においては、上記柱フープ筋１２,４２および中子筋４４,４５の形状を矩形とし、１辺に取り付けられるスペーサ１３,４３の数を２個としているが、上記形状や個数はこれに限定されるものではない。また、上記各実施の形態においては、スペーサ１３,４３を１本の柱フープ筋１２,４２に取り付け固定しているが、この発明はこれに限定されるものではなく、平行に配列された２本以上の柱フープ筋に取り付け固定しても差し支えない。その場合には、スペーサ１３,４３は複数の柱フープ筋の間隔保持部材として機能させることができる。
【００３８】
また、上記各実施の形態においては、この発明のスペーサ付きフープ筋を上記柱梁主筋先組中空ＰＣ柱ユニットに適用する場合を例に説明している。しかしながら、この発明のスペーサ付きフープ筋は、柱構築現場において上記中空ＰＣ柱型枠と梁主筋先組鉄筋籠とを別途組み立てる場合や、柱構築現場において上記中空ＰＣ柱型枠上に梁主筋を配筋する場合にも適用できる。
【００３９】
【発明の効果】
以上より明らかなように、請求項１に係る発明のスペーサ付きフープ筋は、柱フープ筋における直交する二直線と交差する４箇所のうち少なくとも３箇所の近傍に所定高さのスペーサを取り付けたので、中空ＰＣ柱型枠の上端面に載置することによって複数個のスペーサを一度に配置することができ、作業効率を向上できる。さらに、上記スペーサ下部に中空ＰＣ柱型枠の中空部内に差し込まれる差込部を設けたので、上記差込部を中空ＰＣ柱型枠の中空部内に差し込んで本スペーサ付きフープ筋を上記中空ＰＣ柱型枠の上端面上に載置することによって、上記柱フープ筋及びスペーサの平面方向の位置決めを容易に行なうことができる。
【００４０】
すなわち、この発明によれば、上記中空ＰＣ柱型枠の上端面と梁下端主筋との間に、スペーサと柱フープ筋とを簡単に且つ確実に位置決め・固定することができるのである。
【００４１】
また、請求項２に係る発明のスペーサ付きフープ筋は、上記柱フープ筋における一方向に対向しているスペーサの高さと他のスペーサの高さとに、上記梁下端主筋の直径分の差を設けているので、２本の梁がＴ字状または十文字状に交差する位置に設置された中空ＰＣ柱型枠の上端面上に載置された場合には、更にその上に互いに重なり合って交差して配筋される２本の梁下端主筋との間隔を、上記一方向に対向しているスペーサと他のスペーサとによって、上記梁下端主筋の直径分だけ異なる所定間隔に設定することができる。
【００４２】
また、請求項３に係る発明の中空ＰＣ柱型枠は、請求項１あるいは請求項２に係る発明のスペーサ付きフープ筋が上端面に取り付けられているので、梁剪断補強筋の位置を上記スペーサ付きフープ筋のスペーサの位置に合わせて梁主筋先組鉄筋籠を本中空ＰＣ柱型枠上に載置するだけで、当該中空ＰＣ柱型枠と梁下端主筋との間にスペーサと柱フープ筋とを簡単に且つ確実に設置・固定することができる。すなわち、この発明によれば、上記梁下端主筋の被り厚さの設定、及び、上記梁下端主筋と中空ＰＣ柱型枠との間への柱フープ筋の配筋を、非常に簡単に行うことができるのである。
【図面の簡単な説明】
【図１】  この発明のスペーサ付きフープ筋における斜視外観図である。
【図２】  図１におけるＡ‐Ａ'矢視およびＢ‐Ｂ'矢視断面図である。
【図３】  図１に示すスペーサ付きフープ筋を中空ＰＣ柱型枠に載置した状体を示す平面図である。
【図４】  図１に示すスペーサ付きフープ筋を中空ＰＣ柱型枠に載置した状体を示す一方向への断面図である。
【図５】  図４とは異なる方向への断面図である。
【図６】  柱と梁との完成断面図である。
【図７】  柱と梁との取り付けタイプの説明図である。
【図８】  図１とは異なるスペーサ付きフープ筋の斜視外観図である。
【図９】  上端面にスペーサ付きフープ筋を備えた中空ＰＣ柱型枠の断面図である。
【図１０】  柱梁主筋先組中空ＰＣ柱ユニットの断面図である。
【図１１】  図１０に示す柱梁主筋先組中空ＰＣ柱ユニットの組み立て手順の説明図である。
【符号の説明】
１１,４１…スペーサ付きフープ筋、
１２,４２…柱フープ筋、
１３,４３…スペーサ、
１５…突起、
１６…中空ＰＣ柱型枠、
１７…梁主筋先組鉄筋籠、
１９…パネルゾーン部、
２０…第１柱フープ筋、
２１…先組柱主筋、
２２…第２柱フープ筋、
２３…梁型枠、
２４…梁下端主筋、
２５,３１…柱、
２６,３２…梁、
２７…梁上端主筋、
４４,４５…中子筋。
【図１】
0004331376.tif 000002
【図２】
0004331376.tif 000003
【図３】
0004331376.tif 000004
【図４】
0004331376.tif 000005
【図５】
0004331376.tif 000006
【図６】
0004331376.tif 000007
【図７】
0004331376.tif 000008
【図８】
0004331376.tif 000009
【図９】
0004331376.tif 000010
【図１０】
0004331376.tif 000011
【図１１】
0004331376.tif 000012